(57)【要約】      （修正有）【課題】パラペットに強固、確実に固定され、通信設備等の工事が安全で能率よく行える安全柵を提供する。【解決手段】建物の屋上のパラペット１に固定する略コ字状の固定枠２を、パラペット１の外側面に密着する外側垂直部材２１と、上側面１ｂに密着する水平部材２２と、パラペット１の内側面１ｃに押し付ける固定手段２５を備えた内側垂直部材２３とによって構成し、前記水平部材２２上の縦管固定部に固定する縦管３とこの縦管３と直交して組み立てた横管とからなる安全柵。【選択図】図３
0003148586.tif 000002
【実用新案登録請求の範囲】
【請求項１】
パラペットに固定する略コ字状の固定枠を構成し、
前記固定枠を、パラペットの上側面に密着する水平部材と、前記水平部材の一端に固定されパラペットの外側面に密着する外側垂直部材と、前記水平部材の他端に固定され下部に固定手段を備えた内側垂直部材とによって構成すると共に、
前記水平部材上に縦管固定部を構成し、この縦管固定部に縦管を固定し、さらにこの縦管と直交して横管を固定した安全柵。
【請求項２】
前記固定手段を、内側垂直部材の下部を貫通して設け水平方向に進退可能な作動杆と、この作動杆の先端にパラペットの内側面を押圧する押圧体によって構成したことを特徴とする請求項１記載の安全柵。
【考案の詳細な説明】
【技術分野】
【０００１】
本考案は、建物の屋上に通信設備等の重量物を吊り上げて設置作業のためにパラペット（建物の屋上などの外周部に設けられた低い壁）に設置する安全柵に関するものである。
【背景技術】
【０００２】
建物の屋上にアンテナ等の通信設備を設置する際に、通信設備の部品を屋上まで運搬して組み立てて取り付けている。これらの作業はすべて屋上で行われるため、安全確保のために安全柵を設ける必要があるが、従来では建物の屋上にロープを張って安全柵の代わりとしたが、危険なために特許文献１で示すような安全柵が提案されていた。
【特許文献１】特開２００７−２４７１６１
【０００３】
この安全柵は折り畳式であり、２本の縦パイプ及び２本の横パイプを連結して形成される矩形の主フレームと、主フレームの内部空間内へ収容できる大きさの副フレームをクリップで連結した構成である。
このため組立状態において危険区域への立入りを制限することができ、運搬・保管時には、折り畳んで小型化することができるのである。
【０００４】
建物の屋上で通信設備を設置するときには、一般に２〜３週間の長期間の工事が要求される上に、そこに設置される安全柵は工事期間中、風雨にさらされた状態となるため建物に強固に固定されなくてはならない。また、設置場所が危険な場所であるので、その取り付けと取り外しが簡単でかつ迅速に行える安全柵が要求される。
これらの点で前記特許文献１記載の安全柵は、建物に強固に固定できず安定性に欠けるという問題点があり、また折り畳むことはできるが全体として組み立てたまま移動させるため運搬に手間がかかり、建物の屋上に設置する安全柵としては適当でなかった。
【考案の開示】
【考案が解決しようとする課題】
【０００５】
本考案は上記の点に鑑みなされたものであり、建物の屋上に設けられたパラペットに強固、確実に固定され、安定性がよく屋上での工事が安全に行える安全柵を提供するものである。
【課題を解決するための手段】
【０００６】
本考案の要旨とするところは、パラペットに固定する略コ字状の固定枠を構成し、前記固定枠を、パラペットの上側面に密着する水平部材と前記水平部材の一端に固定されパラペットの外側面に密着する外側垂直部材と、前記水平部材の他端に固定され下部に固定手段を備えた内側垂直部材とによって構成すると共に、前記水平部材上に縦管固定部を構成し、この縦管固定部に縦管を固定し、さらにこの縦管と直交して横管を固定した安全柵である。
【０００７】
また、本考案の要旨とするところは、前記固定手段を、内側垂直部材の下部を貫通して設け水平方向に進退可能な作動杆と、この作動杆の先端にパラペットの内側面を押圧する押圧体によって構成した安全柵である。
【考案の効果】
【０００８】
本考案は上記の如き構成であるため、その取り付け取り外しが簡単、迅速に行える上にパラペットに強固、確実に固定され、長期間の工事期間中安定性がよく、アンテナ等の通信設備の取り付け工事が安全で能率よく行えるのである。
【０００９】
また固定手段を、内側垂直部材の下部に設けた作動杆と、この作動杆の先端の押圧体によって構成した場合は、パラペットの幅等に左右されず常に固定枠を安定してパラペットに取り付けることができる。
【考案を実施するための最良の形態】
【００１０】
本考案を実施するための最良の形態は、パラペットに固定する略コ字状の固定枠を構成する。
この固定枠をパラペットの外側面に密着する外側垂直部材と、上側面に密着する水平部材と、パラペットの内側面を押圧する固定手段を備えた内側垂直部材とによって構成する。
また、前記固定手段を、内側垂直部材の下部を貫通して設けられ水平方向に進退可能な作動杆と、この作動杆の先端にパラペットの内側面を押圧する押圧体によって構成する。
さらに前記固定枠の水平部材上に構成した縦管固定部に固定する縦管とこの縦管と直交して組み立てた横管とからなる安全柵である。
【００１１】
以下、本考案の一実施例を図に基づいて説明する。
図１は安全柵をパラペットへ取り付けた状態の斜視図、図２は固定枠をパラペットへ取り付けた状態の側面図、図３は同斜視図及び図４は固定枠の斜視図である。
【００１２】
本実施例は、略コ字状でパラペット１の上側面１ｂに密着する水平部材２２を構成し、この水平部材２２の両端に直角に、外側垂直部材２１と内側垂直部材２３を取り付けた固定枠２を構成する。
【００１３】
前記水平部材２２には、パラペット１の上側面１ｂに密着させるために、水平板２２ｂの内側表面にゴム材２２ａを構成すると共に、この水平板２２ｂの上部には縦管固定部２９を立設する。この縦管固定部２９は縦管３を挿入して立設するもので、必要に応じてボルト２９ａで縦管を固定する。
また、外側垂直部材２１にはパラペット１の外側面１ａに密着させるために垂直板２１ｂの内側表面にゴム材２１ａを構成してある。
【００１４】
前記内側垂直部材２３の垂直板２３ｂの下方には固定手段２５を取り付ける。前記固定手段２５は、固定枠２の内側垂直部材２３の下部に設けた孔２３ａを貫通する作動杆２６とその先端に設けた押圧体２７からなる。
作動杆２６は周面に螺旋が構成されていて、前記孔２３ａと螺合しながら水平方向に進退する。
そして、押圧体２７の先端にはゴム材２７ａが構成してあり、パラペット１の内側面１ｃを押圧して、固定枠２をパラペット１に確実に固定するのである。
【００１５】
このように構成した固定枠２をパラペット１に固定するには、まず、固定枠２をパラペッット１上に設置し、外側垂直部材２１をパラペット１の外側面１ａに密着せしめ、水平部材２２を上側面１ｂに密着せしめる。
【００１６】
次いで、前記内側垂直部材２３に取り付けた固定手段２５の作動杆２６を前進させ、その先端の押圧体２７をパラペット１の内側面１ｃに押圧する。
【００１７】
この後、前記水平部材２２の縦管固定部２９に縦管３を挿入してボルト２９ａで固定し、この縦管３に横管４をクランプ５で連結する。これによって、安全柵が出来上がる。
【００１８】
このように、本実施例の安全柵は、取り付けが簡易であり迅速、安全に設置できる。取り付けた後も、固定枠２はパラペット１に強固に固定され、かつ縦管３と横管４がクランプ５によって強固に固定されているため、長期間にわたる工事期間中にも安全柵が壊れたりするおそれはないため、屋上での通信設備等の取り付け工事を安全に行うことができる。
【図面の簡単な説明】
【００１９】
【図１】安全柵をパラペットへ取り付けた状態の斜視図
【図２】固定枠をパラペットへ取り付けた状態の側面図
【図３】固定枠をパラペットへ取り付けた状態の斜視図
【図４】固定枠の斜視図
【符号の説明】
【００２０】
１  パラペット 
２  固定枠
３  縦管
４  横管
２１  外側垂直部材
２２  水平部材
２３  内側垂直部材
２５  固定手段
２９  縦管固定部
【図１】
0003148586.tif 000003
【図２】
0003148586.tif 000004
【図３】
0003148586.tif 000005
【図４】
0003148586.tif 000006